(57)【特許請求の範囲】
【請求項１】
床面に載置される弦楽器用支持具であって、
第１の貫通穴が形成されてなる支持具本体と、
上記支持具本体に形成された第１の貫通穴に嵌合されてなり弦楽器を構成するエンドピンの先端が当接するエンドピン受け部材と、
このエンドピン受け部材の下端に着脱自在に固定されてなるとともに一方の係合部が形成されてなる筒状部材と、
上記筒状部材内に挿通され、先端は床面に当接するとともに上記一方の係合部に係合する他方の係合部が形成されている圧接ピンと、
上記筒状部材内に内蔵され上記圧接ピンを下方に押圧する弾性材と、を備え、
上記支持具本体の下面には滑り止め部材が固定され、この滑り止め部材には上記第１の貫通穴が形成された位置に対応する位置に第２の貫通穴が形成されてなり、前記圧接ピンの先端は、弦楽器の荷重が作用することにより、前記弾性部材の弾性力に抗して床面と面一とされることを特徴とする弦楽器用支持具。
【発明の詳細な説明】
【技術分野】
【０００１】
本発明は、弦楽器を支持する弦楽器用支持具に関し、特に、チェロやコントラバスのように、エンドピンが構成要素とされている弦楽器を支持する弦楽器用支持具に関するものである。
【背景技術】
【０００２】
チェロやコントラバスは、床面に当接するエンドピンが構成要素とされている。演奏者が演奏する場合には、このエンドピンの先端を床面に当接させるとともに手で楽器を支持しながら行う。ところで、このエンドピンは、演奏者の身長等により適宜長さを調節することができるようにされているが、そうした機能ばかりではなく、チェロ等の楽器本体の振動を床材に伝達することにより、より豊かな音色（振動）効果を奏するものとして、演奏者に周知の機能を有している。しかしながら、上記エンドピンを床材に当接させると、先端により床面が傷付く可能性があるとともに、床材がタイルやメラミン樹脂のように硬質の素材からなる場合には、滑って位置ずれを起こすことも多い。そこで、従来では、上述したチェロ等のエンドピンを支持する弦楽器用支持具が使用されている。この従来の弦楽器用支持具は、支持具本体の中央に上記エンドピンの先端が当接する凹部が形成されてなるとともに、下面には滑り止め用のゴム板が貼付されている（特許文献１参照）。こうした弦楽器用支持具によれば、エンドピンにより床面を傷つけるおそれがなく、また、エンドピンの位置決めができることから安定した状態で演奏することが可能となる。
【特許文献１】実開平７−１６９９１
【発明の開示】
【発明が解決しようとする課題】
【０００３】
しかしながら、上述した従来の弦楽器用支持具では、エンドピンと床面との間にゴム板が介在することから、理想的な音質を奏でることができない。すなわち、上記チェロやコントラバスのような弦楽器は、低音域の音（振動）を奏でるものであり、ソロで演奏される場合は勿論、オーケストラや弦楽四重奏等のように他の弦楽器や管楽器等と共に演奏される場合であっても、極めて重要な役割を担うが、上記楽器と床との間に上記従来の弦楽器用支持具が介在することにより、楽器で奏でた音（振動）が床材に伝達されず、観客に楽器本来の音質で聴取されにくくなる。換言すれば、従来の弦楽器用支持具では、楽器本体の振動が床材に伝達され難くなることから、より豊かな音色（振動）効果を奏することができない。
【０００４】
そこで、本発明は、上述した従来の弦楽器用支持具が有する課題を解決するために提案されたものであって、チェロやコントラバス等のようにエンドピンを構成要素とする弦楽器で奏でられた音（振動）が減殺されることがなく床材に効果的に伝達させることができる新規な弦楽器用支持具を提供することを目的とするものである。
【課題を解決するための手段】
【０００５】
本発明は、床面に載置される弦楽器用支持具であって、第１の貫通穴が形成されてなる支持具本体と、上記支持具本体に形成された第１の貫通穴に嵌合されてなり弦楽器を構成するエンドピンの先端が当接するエンドピン受け部材と、このエンドピン受け部材の下端に着脱自在に固定されてなるとともに一方の係合部が形成されてなる筒状部材と、上記筒状部材内に挿通され、先端は床面に当接するとともに上記一方の係合部に係合する他方の係合部が形成されている圧接ピンと、上記筒状部材内に内蔵され上記圧接ピンを下方に押圧する弾性材と、を備え、上記支持具本体の下面には滑り止め部材が固定され、この滑り止め部材には上記第１の貫通穴が形成された位置に対応する位置に第２の貫通穴が形成されてなり、前記圧接ピンの先端は、弦楽器の荷重が作用することにより、前記弾性部材の弾性力に抗して床面と面一とされることを特徴とするものである。
【００１１】
この発明では、弾性部材の弾性力により、圧接ピンが下方に付勢されると、上記筒状部材に形成された一方の係合部と圧接ピンに形成された他方の係合部とが互いに係合し、それ以上圧接ピンが下方に突出しない。そして、この弦楽器支持具を床上に載置し、エンドピンの先端をエンドピン受け部材に当接させ、弦楽器の荷重をかけると、上記圧接ピンは弾性部材の弾性力に抗して、先端が床面に当接した状態を維持しながら上方に移動させられ、支持具本体の下面が床面に圧接させられる。したがって、この発明によれば、チェロやコントラバスなどにより奏でられた（低音域の）音（振動）を床に伝達させることができ、これによって上記楽器による音（振動）を減殺させることなく、効果的に観客に聴取させることが可能となる。なお、この第３の発明を構成する支持具本体の素材は、木，樹脂，ゴムその他任意の素材を選択することができる。
【００１３】
また、この発明によれば、演奏中における弦楽器支持具の滑りと、弦楽器による低音領域の音（振動）の減殺とを有効に防止することが可能となる。
【発明の効果】
【００１４】
上記発明によれば、チェロやコントラバス等のようにエンドピンを構成要素とする弦楽器で奏でられた音（振動）が、従来の弦楽器支持具を構成するゴム板により減殺されることがなく床材に効果的に伝達させ、豊かな音色効果を実現することができる。
【００１６】
特に、この発明では、支持具本体の下面には滑り止め部材が固定され、この滑り止め部材には前記第１の貫通穴が形成された位置に対応する位置に第２の貫通穴が形成されてなり、前記圧接ピンの先端は、弦楽器の荷重が作用することにより、前記弾性部材の弾性力に抗して床面と面一とされることから、演奏中における弦楽器支持具の滑りと、弦楽器による低音領域の音の減殺とを有効に防止することが可能となる。
【発明を実施するための最良の形態】
【００１７】
以下、本発明に係る弦楽器用支持具を実施するための最良の形態を、図面を参照しながら詳細に説明する。
【００１８】
この実施の形態に係る弦楽器用支持具１は、図示しない床面上に載置されるものであり、図１に示すように、弦楽器であるチェロＣを支持するものである。そして、この弦楽器用支持具１は、支持具本体２と、エンドピン受け部材３とを備えている。上記支持具本体２は、合成樹脂又は硬質の木又は鉄等の金属を素材とするものであり、略円盤状に成形されており、該周面は円弧状となされ、さらに上面はややすり鉢状とされている。そして、このように成形された支持具本体２の中央には、図２に示すように、第１の貫通穴２ａが形成され、上記エンドピン受け部材３は、この第１の貫通穴２ａ内に嵌合されている。また、上記支持具本体２の下面には、後述する滑り止め部材４が嵌るとともに接着される凹部２ｅが形成されている。なお、この第１の貫通穴２ａは、図３に示すように、上方に形成された拡径部２ｂと、この拡径部２ｂと連通してなるとともに該拡径部２ｂよりもやや内径の短い縮径部２ｃとからなるものであり、拡径部２ｂと縮径部２ｃとの間には、リング状の段差面２ｄが形成されている。
【００１９】
そして、上記エンドピン受け部材３は、真鍮により略円筒状に成形されてなるものであり、上面には、図１に示すように、上記チェロＣを構成するエンドピンＰの先端が当接する凹部３ａが形成されており、下面には、図３に示すように、外周に一方のネジ（符号は省略する。）が螺刻された円筒部３ｂが形成されている。なお、上記エンドピン受け部材３の外径は、上記第１の貫通穴２ａを構成する拡径部２ｂの内径に対応してなるとともに、その高さも該拡径部２ｂの高さと同一寸法とされている。一方、上記エンドピン受け部材３の下面に形成された円筒部３ｂの外径は、上記縮径部２ｃの内径よりも短い寸法とされ、該円筒部３ｂの外側に形成された下面の一部が上記段差面２ｄ上に当接された状態で、このエンドピン受け部材３が上記第１の嵌合穴２ａに嵌合されている。
【００２０】
また、図３に示すように、上記支持具本体２の下面に形成された上記凹部２ｅには、ゴム又は軟質樹脂により一体成形された滑り止め部材４が図示しない接着剤により接着固定されている。この滑り止め部材４の外径は、上記支持具本体２の外径よりもやや短い外径とされ、中央には、第２の貫通穴４ａが形成されている。なお、この第２の貫通穴４ａの内径寸法は、以下に説明する筒状部材５の外径寸法とほぼ同一とされている。この筒状部材５は、真鍮により全体形状が略筒状に成形されてなるものであり、上端側内周には、上記エンドピン受け部材３を構成する円筒部３ｂの外周に螺刻された上記一方のネジに螺合される他方のネジ５ａが形成され、また、下端には、上記他方のネジ５ａが螺刻された部位の内径よりも短い内径となるようにリング状縮径部５ｂが形成されている。このリング状縮径部５ｂの上面は、本発明を構成する一方の係合部である。
【００２１】
そして、上記筒状部材５の内部には、図３に示すように、コイルスプリング６と、圧接ピン７とが内蔵されている。このコイルスプリング６は、上記筒状部材５の内部において以下に説明する圧接ピン７を下方に付勢するものであり、本発明を構成する弾性部材である。また、上記圧接ピン７は、図２及び図３にそれぞれ示すように、下端には先鋭部７ａが形成され、上端外周にはフランジ部７ｂが形成されている。なお、このフランジ部７ｂは、上記筒状部材４に形成された一方の係合部であるリング状縮径部５ｂの上面に係合する部位であり、本発明を構成する他方の係合部である。
【００２２】
そして、上述したパーツである（滑り止め部材４が接着された）支持具本体２，エンドピン受け部材３，筒状部材５，コイルスプリング６及び圧接ピン７を組み付ける場合には、上記支持具本体２の上方から該支持具本体２に形成された第１の貫通穴２ａ内に嵌合させ、また、該支持部本体２の下側からは、上記圧接ピン７及びコイルコイルスプリング６を内部に収容した状態で、該筒状部材５に形成された他方のネジ５ａとエンドピン受け部材３に形成された一方のネジとを螺着させる。こうした手順により、上記弦楽器用支持具１が完成される。なお、図１に示すように、チェロＣを支持しない状態においては、上記コイルスプリング６の弾性力により、上記圧接ピン７の先端（下端）は、上記滑り止め部材４の下面よりも下方に突出した状態とされ、上記リング状縮径部５ｂとフランジ部７ｂとの係合により、その突出した状態が保持される。
【００２３】
そして、こうした構成からなる弦楽器用支持具１を図示しない床面に載置するとともに、図１に示すように、チェロＣを構成するエンドピンＰの先端を上記エンドピン受け部材３に形成された凹部３ａ内に挿入し突き当てると、このチェロＣの荷重により、上記コイルスプリング６の弾性力に抗して圧接ピン７以外が下降するとともに、上記滑り止め部材４の下面が図３に示す床面Ｆに当接する。なお、こうした操作により、上記圧接ピン７は、他の部材とは相対的に上方に移動し、該圧接ピン７の下端は床面Ｆに圧接される。
【００２４】
したがって、この弦楽器用支持具１によれば、上記滑り止め部材４により、チェロＣの演奏中に床面Ｆ上を滑ることを防止することができるばかりではなく、上記圧接ピン７の先端がコイルスプリング６の弾性力により圧接されることから、チェロＣにより奏でられた低音域の音は、上位エンドピン受け部材３，コイルスプリング６及び圧接ピン７を介して、減殺されることなく効果的に床に伝達することができる。特に、この実施の形態に係る弦楽器用支持具１では、上記エンドピン受け部材３，筒状部材５，コイルスプリング６及び圧接ピン７は全て金属からなることから、一層伝達ロスを生ずることがない。また、この実施の形態に係る弦楽器用支持具１では、前述したように、凹部２ｅに上記滑り止め部材４が固定されていることから、滑り止め部材４による滑り止め効果を維持するのに必要な所定の肉厚を保持したまま弦楽器用支持具１全体の高さを低くすることができ、これによってエンドピンＰ先端の当接位置を低い位置とし、チェロＣを安定的に支持することができる。
【００２５】
なお、上記実施の形態に係る弦楽器用支持具１では、支持具本体２の下面に滑り止め部材４が接着されたものを説明したが、本発明に係る弦楽器用支持具１は、必ずしも上記滑り止め部材４を構成する必要がなく、例えば、該支持具本体２の素材をゴムとすることもできる。また、上記エンドピン受け部材３，筒状部材５，コイルスプリング６及び圧接ピン７の素材は、カーボングラファイト（炭素繊維）を用いても良い。
【００２６】
また、本願発明者は、上記弦楽器用支持具１を従来の弦楽器用支持具との間で、以下に説明する実験を行った。以下、この実験方法を説明する。
（１）評価サンプル  比較例１、比較例２、実施例１、実施例２を評価サンプルとして用意した。上記比較例１は、ゴム（単体）により成形された弦楽器用支持具であり、比較例２は、黒檀からなる支持具本体の下面にゴム板を貼付してなるものである。また、上記実施例１は、基本的構成は上記実施の形態において説明したものであり、具体的には、上記比較例２を構成する黒檀からなる支持具本体と、ゴムからなる滑り止め部材（厚さ３ｍｍ）と、エンドピン受け部材とコイルスプリングとを備えてなるものである。また、実施例２は、上記実施例１を構成する滑り止め部材の厚みを５ｍｍとし、また上記コイルスプリングの弾性力を実施例１のものよりも強いものとした。
（２）試験機材  上記比較例１，２及び実施例１，２が載置される共鳴箱と、この共鳴箱内に配置するマイクロフォンと、録音装置（ＣＤレコーダー）を、試験機材として用意した。
（３）試験方法  チェロのエンドピンと共鳴箱との間の条件を以下に説明するように設定し、チェロの第４（Ｃ０）開放弦をレガード奏法にて発音し、共鳴箱直下の音圧を、共鳴箱内に配置したマイクロフォンにより集音し、上記録音装置により録音した。そして、録音された上記音圧をスペクトル分析した。チェロと共鳴箱との間の条件は、条件Ａから条件Ｅとした。条件Ａは、上記比較例１，２及び実施例１，２を全く使用することなく、エンドピンの先端を直接共鳴箱の上面に当接させたものであり、条件Ｂは、チェロのエンドピンと共鳴箱との間に上記比較例１を配したものであり、条件Ｃは、チェロのエンドピンと共鳴箱との間に上記比較例２を配したものであり、条件Ｄは、チェロのエンドピンと共鳴箱との間に上記実施例１を配したものであり、条件Ｅは、チェロのエンドピンと共鳴箱との間に上記実施例２を配したものである。なお、試験は、上記条件Ａから条件Ｅそれぞれ５回に亘って行った。
（４）評価方法  上記条件Ａから条件Ｅの下で録音した音を、主要スペクトル（６５．４Ｈｚ、１３０．８Ｈｚ、１９６．２Ｈｚ、２６１．３Ｈｚ、３２７．０Ｈｚ）に分析し、その分析値は、５回行った分析値の平均値を算出した。
（５）試験結果  図４に示すグラフは、上記条件Ａから条件Ｅの分析値に関し、主要スペクトル（６５．４Ｈｚ、１３０．８Ｈｚ、１９６．２Ｈｚ、２６１．３Ｈｚ、３２７．０Ｈｚ）と相対音圧レベル（ｄｂ）との関係を示すものである。このグラフからも明らかなように、エンドピンを直接共鳴箱に当接させた条件Ａのスペクトル（６５．４Ｈｚ以外）における音圧レベルと、条件Ｂから条件Ｅのそれとは大きな差異はないが、６５．４Ｈｚのスペクトルにおける音圧レベルでは、条件Ｂと条件Ｃとは何れも極めて低く、その一方、条件Ｄ（実施例１）と条件Ｅ（実施例２）では、大差がない。すなわち、比較例１や比較例２では、根音Ｃ０が床材（音響箱）に伝達されにくく、その分音が痩せて聞こえるのに対し、実施例１，２では、豊かな音色（振動）となることが理解される。
【００２７】
したがって、上述した試験結果からも明らかなように、本発明によれば、チェロやコントラバス等のようにエンドピンを構成要素とする弦楽器で奏でられた音が減殺されることがなく床材に効果的に伝達させることができ、従来の弦楽器用支持具が有する課題を効果的に解消することができる。
【図面の簡単な説明】
【００２８】
【図１】実施の形態に係る弦楽器用支持具にチェロが支持されている状態を示す斜視図である。
【図２】図１に示す弦楽器用支持具の分解斜視図である。
【図３】図１に示す弦楽器用支持具の断面図である。
【図４】実験結果を示すグラフである。
【符号の説明】
【００２９】
１    弦楽器用支持具
２    支持具本体
２ａ  第１の貫通穴
３    エンドピン受け部材
４    滑り止め部材
４ａ  第２の貫通穴
５    筒状部材
５ｂ  リング状縮径部（一方の係合部）
６    コイルスプリング
７    圧接ピン
７ｂ  フランジ部（他方の係合部）
【図１】
0004793915.tif 000002
【図２】
0004793915.tif 000003
【図３】
0004793915.tif 000004
【図４】
0004793915.tif 000005